(57)【要約】【課題】ユーザにとって有用な情報を適切なタイミングで提示することができる技術を提供する。【解決手段】制御部は、前記処理剤タンクを前記収容部から取り出す方法を示す取り出し方法情報を表示部に表示するためのユーザ操作を受け付ける第１受付部と、前記処理剤タンクに洗濯処理剤を注入する方法を示す注入方法情報を前記表示部に表示するためのユーザ操作を受け付ける第２受付部と、前記処理剤タンクを洗浄する方法を示す洗浄方法情報を前記表示部に表示するためのユーザ操作を受け付ける第３受付部との少なくとも１つを前記表示部に表示し、表示した前記第１受付部と前記第２受付部と前記第３受付部のいずれかがユーザ操作を受け付けた場合は、前記取り出し方法情報と前記注入方法情報と前記洗浄方法情報のうちユーザ操作を受け付けた受付部に対応する情報を前記表示部に表示する。【選択図】図５
2020074869.tif 000002
【特許請求の範囲】
【請求項１】
洗濯槽と、
前記洗濯槽内に洗濯処理剤を自動的に投入する自動投入装置と、
前記自動投入装置によって前記洗濯槽内に投入される洗濯処理剤を収容する処理剤タンクと、
表示部と、
制御部と、を備えており、
前記自動投入装置は、
前記処理剤タンクを収容する収容部と、
前記収容部を開閉する蓋部と、
前記蓋部の開閉を検出する第１検出部と、を備えており、
前記制御部は、前記自動投入装置の前記収容部に前記処理剤タンクが収容されている状態で、前記収容部を開閉する前記蓋部が開かれたことが前記第１検出部によって検出された場合は、前記処理剤タンクを前記収容部から取り出す方法を示す取り出し方法情報を前記表示部に表示するためのユーザ操作を受け付ける第１受付部と、前記処理剤タンクに洗濯処理剤を注入する方法を示す注入方法情報を前記表示部に表示するためのユーザ操作を受け付ける第２受付部と、前記処理剤タンクを洗浄する方法を示す洗浄方法情報を前記表示部に表示するためのユーザ操作を受け付ける第３受付部との少なくとも１つを前記表示部に表示し、表示した前記第１受付部と前記第２受付部と前記第３受付部のいずれかがユーザ操作を受け付けた場合は、前記取り出し方法情報と前記注入方法情報と前記洗浄方法情報のうちユーザ操作を受け付けた受付部に対応する情報を前記表示部に表示する、洗濯機。
【請求項２】
前記制御部は、前記自動投入装置の前記収容部に前記処理剤タンクが収容されている状態で、前記収容部を開閉する前記蓋部が開かれたことが前記第１検出部によって検出された場合は、予め設定された洗濯処理剤の種類を示す種類情報を前記表示部に表示するためのユーザ操作を受け付ける第４受付部、及び／又は、予め設定された前記自動投入装置によって前記洗濯槽に投入される洗濯処理剤の量を示す投入量情報を前記表示部に表示するためのユーザ操作を受け付ける第５受付部を前記表示部に表示し、表示した前記第４受付部と前記第５受付部のいずれかがユーザ操作を受け付けた場合は、ユーザ操作を受け付けた受付部に対応する情報を前記表示部に表示する、請求項１に記載の洗濯機。
【請求項３】
前記処理剤タンクが前記自動投入装置の前記収容部に収容されている状態で前記処理剤タンクに収容されている洗濯処理剤の残量を検出する第２検出部を更に備えており、
前記制御部は、前記自動投入装置の前記収容部に前記処理剤タンクが収容されている状態で、前記収容部を開閉する前記蓋部が開かれたことが前記第１検出部によって検出された場合は、前記第２検出部によって検出される洗濯処理剤の残量を示す残量情報を前記表示部に表示するためのユーザ操作を受け付ける第６受付部を前記表示部に表示し、表示した前記第６受付部がユーザ操作を受け付けた場合は、前記第６受付部に対応する前記残量情報を前記表示部に表示する、請求項１又は２に記載の洗濯機。
【請求項４】
前記制御部は、前記自動投入装置の前記収容部に前記処理剤タンクが収容されていない状態で、前記収容部を開閉する前記蓋部が開かれたことが前記第１検出部によって検出された場合は、前記処理剤タンクを前記収容部に収容する方法を示す収容方法情報を前記表示部に表示するためのユーザ操作を受け付ける第７受付部を前記表示部に表示し、表示した前記第７受付部がユーザ操作を受け付けた場合は、前記第７受付部に対応する前記収容方法情報を前記表示部に表示する、請求項１から３のいずれか一項に記載の洗濯機。
【請求項５】
洗濯槽と、
前記洗濯槽内に洗濯処理剤を自動的に投入する自動投入装置と、
前記自動投入装置によって前記洗濯槽内に投入される洗濯処理剤を収容する処理剤タンクと、
表示部と、
制御部と、を備えており、
前記自動投入装置は、
前記処理剤タンクを収容する収容部と、
前記収容部を開閉する蓋部と、
前記蓋部の開閉を検出する検出部と、を備えており、
前記制御部は、前記自動投入装置の前記収容部に前記処理剤タンクが収容されている状態で、前記収容部を開閉する前記蓋部が開かれたことが前記検出部によって検出された場合は、前記処理剤タンクを前記収容部から取り出す方法を示す取り出し方法情報と、前記処理剤タンクに洗濯処理剤を注入する方法を示す注入方法情報と、前記処理剤タンクを洗浄する方法を示す洗浄方法情報との少なくとも１つの情報を前記表示部に表示する、洗濯機。
【発明の詳細な説明】
【技術分野】
【０００１】
本明細書に開示する技術は、洗濯機に関する。
【背景技術】
【０００２】
特許文献１には洗濯機が開示されている。特許文献１の洗濯機は、洗濯槽と、洗濯槽内に洗剤を自動的に投入する自動投入装置と、自動投入装置によって洗濯槽内に投入される洗剤を収容する洗剤タンクとを備えている。
【先行技術文献】
【特許文献】
【０００３】
【特許文献１】特開２００６−３３４２０４号公報
【発明の概要】
【発明が解決しようとする課題】
【０００４】
特許文献１の洗濯機では、洗剤タンクに収容されている洗剤の残量が表示部に表示される。そのため、洗濯機のユーザが洗剤の残量を確認することができる。しかしながら、洗濯機のユーザが洗剤の残量だけでなく他の有用な情報を確認することを望むことも考えられる。本明細書は、ユーザにとって有用な情報を適切なタイミングで提示することができる技術を提供する。
【課題を解決するための手段】
【０００５】
本明細書に開示する洗濯機は、洗濯槽と、前記洗濯槽内に洗濯処理剤を自動的に投入する自動投入装置と、前記自動投入装置によって前記洗濯槽内に投入される洗濯処理剤を収容する処理剤タンクと、表示部と、制御部と、を備えている。前記自動投入装置は、前記処理剤タンクを収容する収容部と、前記収容部を開閉する蓋部と、前記蓋部の開閉を検出する第１検出部と、を備えている。前記制御部は、前記自動投入装置の前記収容部に前記処理剤タンクが収容されている状態で、前記収容部を開閉する前記蓋部が開かれたことが前記第１検出部によって検出された場合は、前記処理剤タンクを前記収容部から取り出す方法を示す取り出し方法情報を前記表示部に表示するためのユーザ操作を受け付ける第１受付部と、前記処理剤タンクに洗濯処理剤を注入する方法を示す注入方法情報を前記表示部に表示するためのユーザ操作を受け付ける第２受付部と、前記処理剤タンクを洗浄する方法を示す洗浄方法情報を前記表示部に表示するためのユーザ操作を受け付ける第３受付部との少なくとも１つを前記表示部に表示し、表示した前記第１受付部と前記第２受付部と前記第３受付部のいずれかがユーザ操作を受け付けた場合は、前記取り出し方法情報と前記注入方法情報と前記洗浄方法情報のうちユーザ操作を受け付けた受付部に対応する情報を前記表示部に表示する。
【０００６】
また、前記制御部は、前記自動投入装置の前記収容部に前記処理剤タンクが収容されている状態で、前記収容部を開閉する前記蓋部が開かれたことが前記検出部によって検出された場合は、前記処理剤タンクを前記収容部から取り出す方法を示す取り出し方法情報と、前記処理剤タンクに洗濯処理剤を注入する方法を示す注入方法情報と、前記処理剤タンクを洗浄する方法を示す洗浄方法情報との少なくとも１つの情報を前記表示部に表示してもよい。
【図面の簡単な説明】
【０００７】
【図１】実施例に係る洗濯機の斜視図である。
【図２】実施例に係る洗濯機を模式的に示す図である。
【図３】実施例に係る洗濯機のブロック図である。
【図４】実施例に係る自動投入装置を模式的に示す図である。
【図５】第１表示処理のフローチャートである。
【図６】表示部に表示される情報キーの一例を示す図である。
【図７】表示部に表示される情報の一例を示す図である。
【図８】第２表示処理のフローチャートである。
【図９】表示部に表示される情報キーの一例を示す図である。
【図１０】表示部に表示される情報の一例を示す図である。
【図１１】第３表示処理のフローチャートである。
【図１２】表示部に表示される情報の一例を示す図である。
【図１３】第４表示処理のフローチャートである。
【発明を実施するための形態】
【０００８】
実施例に係る洗濯機１０について図面を参照して説明する。図１及び図２に示すように、実施例に係る洗濯機１０は、本体１１と、蓋１２と、洗濯槽１３と、ドラム１４と、モータ１５とを備えている。実施例に係る洗濯機１０はドラム式の洗濯機である。また、洗濯機１０は、給水路１６と、排水路１７と、自動投入装置２０と、洗剤タンク３０（処理剤タンクの一例）と、柔軟剤タンク５０（処理剤タンクの他の一例）とを備えている。また、洗濯機１０は、図３に示すように、タンク検出部４３と、表示部４４と、操作部４５と、制御部４１と、記憶部４２とを備えている。
【０００９】
図１及び図２に示すように、洗濯機１０の本体１１は開口部１１１を備えている。洗濯機１０の蓋１２は、本体１１に取り付けられており、本体１１の開口部１１１を開閉する。本体１１の内部に洗濯槽１３、ドラム１４及びモータ１５が配置されている。
【００１０】
洗濯槽１３は、本体１１の内部の中央部に配置されている。洗濯槽１３は洗濯用の水を収容する。ドラム１４は、洗濯槽１３の内部に配置されており、洗濯槽１３の内部で回転する。ドラム１４は洗濯物を収容した状態で回転する。モータ１５は、ドラム１４の後方に配置されており、ドラム１４を回転させる。
【００１１】
洗濯機１０の給水路１６は、その上流端部が給水源（図示省略）に接続されており、下流端部が洗濯槽１３に接続されている。給水路１６は、給水源から洗濯槽１３内に水を供給する。給水路１６には給水弁１８が設けられている。給水弁１８は給水路１６を開閉する。給水弁１８が開状態になると洗濯槽１３に水が供給される。
【００１２】
洗濯機１０の排水路１７は、その上流端部が洗濯槽１３に接続されており、下流端部が例えば洗濯パンの排水口（図示省略）に接続されている。排水路１７は、洗濯槽１３内の水を排水口に排出する。排水路１７には排水弁１９が設けられている。排水弁１９は、排水路１７を開閉する。排水弁１９が開状態になると洗濯槽１３内の水が排出される。
【００１３】
洗濯機１０の自動投入装置２０は、本体１１の内部に配置されている。自動投入装置２０は、本体１１の上部に配置されている。自動投入装置２０は、洗濯槽１３内に洗濯処理剤（例えば、洗剤、柔軟剤等）を自動的に投入することができる装置である。自動投入装置２０は、洗剤タンク３０が自動投入装置２０に取り付けられている状態で、洗剤タンク３０に収容されている洗剤を洗濯槽１３に自動的に投入する。また、自動投入装置２０は、柔軟剤タンク５０が自動投入装置２０に取り付けられている状態で、柔軟剤タンク５０に収容されている柔軟剤を洗濯槽１３に自動的に投入する。
【００１４】
図４に示すように、自動投入装置２０は、着脱容器２１と、蓋２８と、開閉検出部２９と、第１洗剤供給路２２と、ピストンポンプ２３と、第２洗剤供給路２４とを備えている。着脱容器２１は洗剤タンク３０を収容する。洗濯機１０のユーザが、洗剤タンク３０を着脱容器２１に収容する、或いは、着脱容器２１から洗剤タンク３０を取り出す。着脱容器２１に対して洗剤タンク３０が着脱される。自動投入装置２０の蓋２８は、着脱容器２１の開口部２１１を開閉する。洗剤タンク３０には液体の洗剤（洗濯処理剤の一例）が収容される。また、自動投入装置２０の着脱容器２１は、柔軟剤タンク５０（図３では図示省略）を収容する。柔軟剤タンク５０には液体の柔軟剤（洗濯処理剤の他の一例）が収容される。以下の説明では、柔軟剤タンク５０については内部に収容されている液体の種類以外は洗剤タンク３０と同様の構成なので詳細な説明を省略する。
【００１５】
洗剤タンク３０は、注入口３１と、排出口３２とを備えている。洗剤タンク３０の注入口３１から洗剤タンク３０内に洗剤が注入される。洗濯機１０のユーザが、洗剤タンク３０内に洗剤を注入する。ユーザは、洗剤タンク３０が着脱容器２１に取り付けられている状態で、或いは、洗剤タンク３０が着脱容器２１から取り出されている状態で、洗剤タンク３０内に洗剤を注入することができる。洗剤タンク３０内の洗剤は洗剤タンク３０の排出口３２から排出される。
【００１６】
自動投入装置２０の開閉検出部２９は、蓋２８の下面に固定されており、蓋２８の開閉を検出することができる。この開閉検出部２９は例えば圧力センサである。また、着脱容器２１に取り付けられているリードスイッチ（図示省略）と、蓋２８に取り付けられている磁石（図示省略）とによって開閉検出部２９が構成されていてもよい。開閉検出部２９は、蓋２８が閉じられたときに着脱容器２１の上部に接触する。開閉検出部２９が着脱容器２１の上部に接触することによって、蓋２８が閉じられたことを検出することができる。また、開閉検出部２９は、蓋２８が開かれたときに着脱容器２１の上部から離間する。開閉検出部２９が着脱容器２１の上部から離間することによって、蓋２８が開かれたことを検出することができる。開閉検出部２９の検出結果は制御部４１に送信される。
【００１７】
自動投入装置２０の第１洗剤供給路２２は、その上流端部が着脱容器２１に接続されており、下流端部がピストンポンプ２３に接続されている。第１洗剤供給路２２の上流端部は、着脱容器２１に洗剤タンク３０が取り付けられたときに洗剤タンク３０の排出口３２に接続される。第１洗剤供給路２２は、洗剤タンク３０からピストンポンプ２３に洗剤を供給する。第１洗剤供給路２２には第１逆止弁２５が設けられている。第１逆止弁２５は、着脱容器２１側からピストンポンプ２３側への洗剤の流れを許容し、その反対側への洗剤の流れを禁止する。
【００１８】
自動投入装置２０の第２洗剤供給路２４は、その上流端部がピストンポンプ２３に接続されており、下流端部が洗濯機１０の給水路１６に接続されている。第２洗剤供給路２４は、ピストンポンプ２３から給水路１６へ洗剤を供給する。第２洗剤供給路２４には第２逆止弁２６が設けられている。第２逆止弁２６は、ピストンポンプ２３側から給水路１６側への洗剤の流れを許容し、その反対側への洗剤の流れを禁止する。
【００１９】
ピストンポンプ２３は、第１洗剤供給路２２を介して洗剤タンク３０から洗剤を吸引し、第２洗剤供給路２４を介して給水路１６へ洗剤を吐出する。ピストンポンプ２３は、予め設定された容量の洗剤を洗剤タンク３０から吸引して給水路１６へ吐出する。給水路１６へ吐出された洗剤は、給水路１６を流れる水と合流して洗濯槽１３内に供給される。このようにして、洗剤タンク３０に収容されている洗剤が洗濯槽１３内に自動的に投入される。なお、上記の洗濯機１０では、ユーザが手動で洗濯槽１３内に洗剤を投入してもよい。
【００２０】
自動投入装置２０の着脱容器２１の下部にはタンク検出部４３が固定されている。タンク検出部４３は、例えば重量センサであり、洗剤タンク３０の重量を検出することができる。洗剤タンク３０が自動投入装置２０に取り付けられたときに、タンク検出部４３が洗剤タンク３０の重量を検出する。これによってタンク検出部４３は、洗剤タンク３０が自動投入装置２０に取り付けられたことを検出することができる。また、タンク検出部４３は、自動投入装置２０から洗剤タンク３０が取り外されたことを検出することができる。また、タンク検出部４３は、洗剤タンク３０に収容されている洗剤の重量を検出することができる。タンク検出部４３は、例えば、洗剤タンク３０に洗剤が収容されているときの検出重量と、記憶部４２に記憶された洗剤タンク３０に何も収容されていないときの重量との差分に基づいて、洗剤の重量を検出することができる。また、タンク検出部４３は、検出した洗剤の重量に基づいて洗剤の容量を認識することができる。
【００２１】
図１に示すように、洗濯機１０の表示部４４は、本体１１の上部に配置されている。この表示部４４は例えば液晶パネルである。表示部４４には洗濯機１０に関する様々な情報が表示される。また、表示部４４は操作部４５と一体的に構成されている。表示部４４と操作部４５は、例えば液晶のタッチパネルである。操作部４５は洗濯機１０に関する様々な操作を受け付ける。洗濯機１０のユーザが操作部４５を操作することによって様々な操作を実行する。例えば、ユーザは、操作部４５を操作することによって、洗濯機１０で使用する洗剤の種類を示す種類情報を入力することができる。また、ユーザは、操作部４５を操作することによって、１回の洗濯で使用する洗剤の容量（すなわち、自動投入装置２０によって洗濯槽１３に投入される洗剤の投入量）を示す投入量情報を入力することができる。洗剤の投入量は、例えば、「多め」、「普通」、「少なめ」等である。
【００２２】
図３に示す記憶部４２は、洗濯機１０に関する様々な情報を記憶している。例えば、記憶部４２は、洗剤タンク３０を自動投入装置２０の着脱容器２１から取り出す方法を示す取り出し方法情報を記憶している。また、記憶部４２は、洗剤タンク３０に洗剤を注入する方法を示す注入方法情報を記憶している。また、記憶部４２は、洗剤タンク３０を洗浄する方法を示す洗浄方法情報を記憶している。また、記憶部４２は、洗濯機１０のユーザによって予め設定された洗剤の種類を示す種類情報を記憶している。また、記憶部４２は、自動投入装置２０によって洗濯槽１３に投入される洗剤の容量を示す投入量情報を記憶している。洗剤の投入量は、洗濯機１０のユーザによって予め設定される。また、記憶部４２は、自動投入装置２０の着脱容器２１に洗剤タンク３０を収容する方法を示す収容方法情報を記憶している。また、記憶部４２は、洗剤タンク３０をメンテナンスする時期を示すメンテナンス時期情報を記憶している。
【００２３】
洗濯機１０の制御部４１は、洗濯機１０の各種の動作を制御する。例えば、制御部４１は、自動投入装置２０のピストンポンプ２３の動作を制御する。制御部４１は、所定量の洗剤が洗剤タンク３０から洗濯槽１３に自動的に供給されるようにピストンポンプ２３の動作を制御する。制御部４１によるその他の制御については後述する。
【００２４】
（第１実施例）
次に、洗濯機１０で実行される第１表示処理について説明する。図５は、第１表示処理のフローチャートである。第１表示処理は、例えば、洗濯機１０の電源がオンになると開始される。図５に示すように、第１表示処理のＳ１０では、制御部４１が、洗剤タンク３０が自動投入装置２０に取り付けられているか否かを判断する。すなわち、制御部４１が、洗剤タンク３０が着脱容器２１に収容されているか否かを判断する。洗剤タンク３０が自動投入装置２０に取り付けられている（すなわち、着脱容器２１に収容されている）場合は、タンク検出部４３が洗剤タンク３０を検出する。タンク検出部４３は、洗剤タンク３０の重量を検出することによって洗剤タンク３０の存在を検出する。タンク検出部４３によって洗剤タンク３０の取り付けが検出された場合は、Ｓ１０で制御部４１がＹＥＳと判断してＳ１１に進む。そうでない場合は、制御部４１がＮＯと判断してリターンに進む。
【００２５】
続くＳ１１では、制御部４１が、自動投入装置２０の蓋２８が開かれたか否かを判断する。自動投入装置２０の蓋２８が開かれた場合は、開閉検出部２９がそれを検出する。開閉検出部２９が着脱容器２１から離間することによって、蓋２８が開かれたことが検出される。開閉検出部２９は、蓋２８が閉じられている状態から蓋２８が開かれた状態に変化したことを検出する。この場合は、Ｓ１１で制御部４１がＹＥＳと判断してＳ１２に進む。そうでない場合は、制御部４１がＮＯと判断してＳ１０に戻る。
【００２６】
続くＳ１２では、制御部４１が、様々な情報キーＫ１−Ｋ７を表示部４４に表示する（図６参照）。制御部４１は、図６に示すように、取り出し方法情報キーＫ１、注入方法情報キーＫ２、洗浄方法情報キーＫ３、種類情報キーＫ４、投入量情報キーＫ５、残量情報キーＫ６、及び、メンテナンス時期情報キーＫ７を表示部４４に表示する。制御部４１は、複数の情報キーＫ１−Ｋ７と併せて、スタートボタンＢ２及び閉じるボタンＢ３等を表示部４４に表示してもよい。
【００２７】
取り出し方法情報キーＫ１は、取り出し方法情報に対応している。取り出し方法情報は、自動投入装置２０の着脱容器２１から洗剤タンク３０を取り出す方法を示す情報である。例えば、洗剤タンク３０が着脱容器２１に固定されている場合は、取り出し方法情報は、洗剤タンク３０の固定を解除する方法等を示す情報である。取り出し方法情報キーＫ１は、取り出し方法情報を表示部４４に表示させるためのユーザ操作を受け付けるタッチキーである。取り出し方法情報キーＫ１は、例えばアイコンの形態で表示部４４に表示される。洗濯機１０のユーザが表示部４４に表示された取り出し方法情報キーＫ１をタッチ操作することによって、取り出し方法情報が表示部４４に表示される。洗濯機１０のユーザは、表示部４４に表示された取り出し方法情報を確認することによって、自動投入装置２０の着脱容器２１から洗剤タンク３０を取り出す方法を詳しく知ることができる。
【００２８】
注入方法情報キーＫ２は、注入方法情報に対応している。注入方法情報は、洗剤タンク３０に洗剤を注入する方法を示す情報である。注入方法情報は、例えば、洗剤タンク３０が自動投入装置２０の着脱容器２１から取り出された状態で市販の詰め替えパックから洗剤タンク３０に洗剤を注入する方法を示す情報である。注入方法情報キーＫ２は、注入方法情報を表示部４４に表示させるためのユーザ操作を受け付けるタッチキーである。注入方法情報キーＫ２は、例えばアイコンの形態で表示部４４に表示される。洗濯機１０のユーザが表示部４４に表示された注入方法情報キーＫ２をタッチ操作することによって、注入方法情報が表示部４４に表示される。洗濯機１０のユーザは、表示部４４に表示された注入方法情報を確認することによって、洗剤タンク３０に洗剤を注入する方法を詳しく知ることができる。
【００２９】
洗浄方法情報キーＫ３は、洗浄方法情報に対応している。洗浄方法情報は、洗剤タンク３０を洗浄する方法を示す情報である。洗浄方法情報は、例えば、洗剤タンク３０が自動投入装置２０の着脱容器２１から取り出された状態で洗剤タンク３０の内部を水洗いする方法を示す情報である。洗浄方法情報キーＫ３は、洗浄方法情報を表示部４４に表示させるためのユーザ操作を受け付けるタッチキーである。洗浄方法情報キーＫ３は、例えばアイコンの形態で表示部４４に表示される。洗濯機１０のユーザが表示部４４に表示された洗浄方法情報キーＫ３をタッチ操作することによって、洗浄方法情報が表示部４４に表示される。洗濯機１０のユーザは、表示部４４に表示された洗浄方法情報を確認することによって、洗剤タンク３０を洗浄する方法を詳しく知ることができる。
【００３０】
種類情報キーＫ４は、種類情報に対応している。種類情報は、洗濯機１０のユーザによって予め設定された洗剤の種類を示す情報である。種類情報キーＫ４は、種類情報を表示部４４に表示させるためのユーザ操作を受け付けるタッチキーである。種類情報キーＫ４は、例えばアイコンの形態で表示部４４に表示される。洗濯機１０のユーザが表示部４４に表示された種類情報キーＫ４をタッチ操作することによって、種類情報が表示部４４に表示される。洗濯機１０のユーザは、表示部４４に表示された種類情報を確認することによって、設定されている洗剤の種類を詳しく知ることができる。
【００３１】
投入量情報キーＫ５は、投入量情報に対応している。投入量情報は、自動投入装置２０によって洗濯槽１３に自動的に投入される洗剤の投入量を示す情報である。投入量情報は洗濯機１０のユーザによって予め設定されている。投入量情報は、例えば、洗濯機１０のユーザが使用する洗剤毎に設定可能な「基準投入量」に関する情報と、「基準投入量」に対して設定可能な「多め」、「標準」、「少なめ」等の情報である。投入量情報キーＫ５は、投入量情報を表示部４４に表示させるためのユーザ操作を受け付けるタッチキーである。投入量情報キーＫ５は、例えばアイコンの形態で表示部４４に表示される。洗濯機１０のユーザが表示部４４に表示された投入量情報キーＫ５をタッチ操作することによって、投入量情報が表示部４４に表示される。洗濯機１０のユーザは、表示部４４に表示された投入量情報を確認することによって、設定されている洗剤の投入量を詳しく知ることができる。
【００３２】
残量情報キーＫ６は、残量情報に対応している。残量情報は、洗剤タンク３０に収容されている洗剤の残量（すなわち、タンク検出部４３によって検出される洗剤の容量又は重量）を示す情報である。洗剤の残量は、タンク検出部４３によって検出される。残量情報キーＫ６は、残量情報を表示部４４に表示させるためのユーザ操作を受け付けるタッチキーである。残量情報キーＫ６は、例えばアイコンの形態で表示部４４に表示される。洗濯機１０のユーザが表示部４４に表示された残量情報キーＫ６をタッチ操作することによって、残量情報が表示部４４に表示される。洗濯機１０のユーザは、表示部４４に表示された残量情報を確認することによって、洗剤タンク３０に収容されている洗剤の残量を詳しく知ることができる。
【００３３】
メンテナンス時期情報キーＫ７は、メンテナンス時期情報に対応している。メンテナンス時期情報は、洗剤タンク３０をメンテナンスする時期を示す情報である。メンテナンス時期情報は、例えば年月日や季節などで示される。メンテナンス時期情報キーＫ７は、メンテナンス時期情報を表示部４４に表示させるためのユーザ操作を受け付けるタッチキーである。メンテナンス時期情報キーＫ７は、例えばアイコンの形態で表示部４４に表示される。洗濯機１０のユーザが表示部４４に表示されたメンテナンス時期情報キーＫ７をタッチ操作することによって、メンテナンス時期情報が表示部４４に表示される。洗濯機１０のユーザは、表示部４４に表示されたメンテナンス時期情報を確認することによって、洗剤タンク３０のメンテナンス時期を詳しく知ることができる。
【００３４】
図５に示すように、Ｓ１２に続くＳ１３では、制御部４１が、上記のＳ１２で複数の情報キーＫ１−Ｋ７を表示部４４に表示してから所定時間が経過したか否かを判断する。所定時間は、例えば３０秒間である。所定時間が経過した場合は、Ｓ１３で制御部４１がＹＥＳと判断してＳ１７に進む。そうでない場合は、制御部４１がＮＯと判断してＳ１４に進む。
【００３５】
続くＳ１４では、制御部４１が、表示部４４に表示された複数の情報キーＫ１−Ｋ７のいずれかがタッチ操作されたか否かを判断する。複数の情報キーＫ１−Ｋ７のいずれかがタッチ操作された場合（すなわち、いずれかの情報キーＫ１−Ｋ７がユーザ操作を受け付けた場合）は、Ｓ１４で制御部４１がＹＥＳと判断してＳ１５に進む。例えば、洗濯機１０のユーザが取り出し方法情報キーＫ１をタッチ操作すると、制御部４１がＹＥＳと判断する。一方、複数の情報キーＫ１−Ｋ７のいずれもタッチ操作されない場合は、Ｓ１４で制御部４１がＮＯと判断してＳ１３に戻る。
【００３６】
続くＳ１５では、制御部４１が、上記のＳ１４で操作された情報キーに対応する情報を表示部４４に表示する。例えば、上記のＳ１４で取り出し方法情報キーＫ１がタッチ操作された場合は、制御部４１は、図７に示すように、取り出し方法情報キーＫ１に対応する取り出し方法情報を表示部４４の領域Ｒ１に表示する。また、上記のＳ１４で注入方法情報キーＫ２がタッチ操作された場合は、制御部４１が注入方法情報を表示部４４に表示する。その他の情報キーＫ３−Ｋ７についても同様である。
【００３７】
図５に示すように、続くＳ１６では、制御部４１が、上記のＳ１５で表示部４４に情報を表示してから所定時間が経過したか否かを判断する。所定時間は、例えば３０秒間である。所定時間が経過した場合は、Ｓ１６で制御部４１がＹＥＳと判断してＳ１７に進む。そうでない場合は、制御部４１がＮＯと判断して待機する。
【００３８】
上記のＳ１３及びＳ１６でＹＥＳの後のＳ１７では、制御部４１が、表示部４４に初期画面を表示する。初期画面は、例えば、スタートボタンＢ２及び閉じるボタンＢ３のみが表示部４４に表示され、他の情報（例えば、上記のＳ１５で表示部４４に表示された取り出し方法情報）が表示部４４に表示されない画面である。その後、制御部４１が第１表示処理を終了する。
【００３９】
次に、洗濯機１０で実行される第２表示処理について説明する。図８は、第２表示処理のフローチャートである。第２表示処理は、例えば、洗濯機１０の電源がオンになると開始される。第２表示処理のＳ２０では、制御部４１が、洗剤タンク３０が自動投入装置２０に取り付けられているか否かを判断する。洗剤タンク３０が自動投入装置２０に取り付けられている（すなわち、洗剤タンク３０が着脱容器２１に収容されている）場合は、Ｓ１０で制御部４１がＹＥＳと判断してリターンに進む。洗剤タンク３０が自動投入装置２０に取り付けられていない（すなわち、洗剤タンク３０が着脱容器２１に収容されていない）場合は、Ｓ１０で制御部４１がＮＯと判断してＳ２１に進む。Ｓ２０では、上記の第１表示処理のＳ１０とは反対の判断がされる。
【００４０】
続くＳ２１では、制御部４１が、自動投入装置２０の蓋２８が開かれたか否かを判断する。Ｓ２１の処理については、上記の第１表示処理のＳ１１の処理（図５参照）と同様なので詳細な説明を省略する。制御部４１は、Ｓ１１でＹＥＳの場合はＳ２２に進み、ＮＯの場合はＳ２０に戻る。
【００４１】
続くＳ２２では、制御部４１が、収容方法情報キーＪ１を表示部４４に表示する（図９参照）。制御部４１は、スタートボタンＢ２及び閉じるボタンＢ３等を併せて表示部４４に表示してもよい。収容方法情報キーＪ１は、収容方法情報に対応している。収容方法情報は、自動投入装置２０の着脱容器２１に洗剤タンク３０を収容する方法を示す情報である。例えば、洗剤タンク３０が着脱容器２１の固定部（図示省略）に固定される構成である場合には、収容方法情報は、固定部を操作する方法を示す情報である。収容方法情報キーＪ１は、収容方法情報を表示部４４に表示させるためのユーザ操作を受け付けるタッチキーである。収容方法情報キーＪ１は、例えばアイコンの形態で表示部４４に表示される。洗濯機１０のユーザが表示部４４に表示された収容方法情報キーＪ１をタッチ操作することによって、収容方法情報が表示部４４に表示される。洗濯機１０のユーザは、表示部４４に表示された収容方法情報を確認することによって、自動投入装置２０の着脱容器２１に洗剤タンク３０を収容する方法を詳しく知ることができる。
【００４２】
図８に示すように、続くＳ２３では、制御部４１が、上記のＳ２２で収容方法情報キーＪ１を表示してから所定時間が経過したか否かを判断する。所定時間は、例えば３０秒間である。所定時間が経過した場合は、Ｓ２３で制御部４１がＹＥＳと判断してＳ２７に進む。そうでない場合は、制御部４１がＮＯと判断してＳ２４に進む。
【００４３】
続くＳ２４では、制御部４１が、表示部４４に表示された収容方法情報キーＪ１がタッチ操作されたか否かを判断する。収容方法情報キーＪ１がタッチ操作された場合（すなわち、収容方法情報キーＪ１がユーザ操作を受け付けた場合）は、Ｓ２４で制御部４１がＹＥＳと判断してＳ２５に進む。そうでない場合は、制御部４１がＮＯと判断してＳ２３に戻る。Ｓ２４でＹＥＳの後のＳ２５では、制御部４１が、Ｓ２４で操作された収容方法情報キーＪ１に対応する収容方法情報を表示部４４に表示する。制御部４１は、図１０に示すように、洗剤タンク３０を着脱容器２１に収容する方法を示す収容方法情報を表示部４４の領域Ｑ１に表示する。
【００４４】
図８に示すように、続くＳ２６では、制御部４１が、上記のＳ２５で収容方法情報を表示部４４に表示してから所定時間が経過したか否かを判断する。所定時間は、例えば３０秒間である。所定時間が経過した場合は、Ｓ２６で制御部４１がＹＥＳと判断してＳ２７に進む。そうでない場合は、制御部４１がＮＯと判断して待機する。上記のＳ２３及びＳ２６でＹＥＳの後のＳ２７では、制御部４１が、表示部４４に初期画面を表示する。その後、制御部４１が第２表示処理を終了する。
【００４５】
以上、実施例に係る洗濯機１０について説明した。上記の説明から明らかなように、実施例に係る洗濯機１０は、洗濯槽１３と、洗濯槽１３内に洗剤を自動的に投入する自動投入装置２０と、自動投入装置２０によって洗濯槽１３内に投入される洗剤を収容する洗剤タンク３０とを備えている。自動投入装置２０は、洗剤タンク３０を収容する着脱容器２１と、着脱容器２１を開閉する蓋２８と、蓋２８の開閉を検出する開閉検出部２９とを備えている。制御部４１は、自動投入装置２０の着脱容器２１に洗剤タンク３０が収容されている状態で、着脱容器２１を開閉する蓋２８が開かれたことが開閉検出部２９によって検出された場合は、複数の情報キーＫ１−Ｋ７を表示部４４に表示する。制御部４１は、表示した複数の情報キーＫ１−Ｋ７のいずれかがユーザ操作を受け付けた場合は、ユーザ操作を受け付けた情報キー（例えば、取り出し方法情報キーＫ１）に対応する情報（例えば、取り出し方法情報）を表示部４４に表示する（Ｓ１０でＹＥＳ、Ｓ１１でＹＥＳ、Ｓ１２、Ｓ１４でＹＥＳ、Ｓ１５）。
【００４６】
自動投入装置２０の着脱容器２１に洗剤タンク３０が収容されている状態で着脱容器２１を開閉する蓋２８が開かれた場合は、例えば、洗濯機１０のユーザが着脱容器２１から洗剤タンク３０を取り出すことが予想される。また、洗濯機１０のユーザが着脱容器２１から取り出した洗剤タンク３０に洗剤を注入することや、洗剤タンク３０を洗浄すること等が予想される。そこで、上記の洗濯機１０では、制御部４１が、自動投入装置２０の蓋２８が開かれた場合は、そのタイミングで複数の情報キーＫ１−Ｋ７を表示部４４に表示する。また、制御部４１は、いずれかの情報キーＫ１−Ｋ７がタッチ操作された場合は、タッチ操作された情報キー（例えば、取り出し方法情報キーＫ１）に対応する情報（例えば、取り出し方法情報）を表示部４４に表示する。この構成によれば、自動投入装置２０の蓋２８が開かれたタイミングで洗剤の自動投入に関連する情報を提示することができるので、洗濯機１０のユーザにとって有用な情報を適切なタイミングで提示することができる。また、表示部４４に表示する情報をタッチ操作された情報キーに対応する情報に絞ることによって、情報を詳しく提示することができる。
【００４７】
また、上記の洗濯機１０では、制御部４１が、種類情報キーＫ４がタッチ操作された場合は、種類情報キーＫ４に対応する種類情報を表示部４４に表示し、投入量情報キーＫ５がタッチ操作された場合は、投入量情報キーＫ５に対応する投入量情報を表示部４４に表示する（Ｓ１４でＹＥＳ、Ｓ１５）。この構成によれば、洗濯機１０のユーザが、洗濯機１０で使用される洗剤の種類や、洗濯槽１３に投入される洗剤の量を認識することができる。
【００４８】
また、上記の洗濯機１０は、洗剤タンク３０に収容されている洗剤の残量を検出するタンク検出部４３を備えている。制御部４１は、残量情報キーＫ６がタッチ操作された場合は、残量情報キーＫ６に対応する残量情報を表示部４４に表示する（Ｓ１４でＹＥＳ、Ｓ１５）。この構成によれば、洗濯機１０のユーザが、洗剤タンク３０に収容されている洗剤の残量を認識することができる。
【００４９】
また、上記の洗濯機１０では、制御部４１が、自動投入装置２０の着脱容器２１に洗剤タンク３０が収容されていない状態で、着脱容器２１を開閉する蓋２８が開かれたことが開閉検出部２９によって検出された場合は、収容方法情報キーＪ１を表示部４４に表示する。また、制御部４１は、収容方法情報キーＪ１がユーザ操作を受け付けた場合は、収容方法情報キーＪ１に対応する収容方法情報を表示部４４に表示する（Ｓ２０でＮＯ、Ｓ２１でＹＥＳ、Ｓ２４でＹＥＳ、Ｓ２５）。
【００５０】
自動投入装置２０の着脱容器２１に洗剤タンク３０が収容されていない状態で着脱容器２１を開閉する蓋２８が開かれた場合は、洗濯機１０のユーザが着脱容器２１に洗剤タンク３０を収容することが予想される。そこで、上記の洗濯機１０では、制御部４１が、自動投入装置２０の蓋２８が開かれた場合は、そのタイミングで収容方法情報キーＪ１を表示部４４に表示する。また、制御部４１は、収容方法情報キーＪ１がタッチ操作された場合は、収容方法情報を表示部４４に表示する。この構成によれば、適切なタイミングで収容方法情報を提示することができる。
【００５１】
以上、一実施例について説明したが、具体的な態様は上記実施例に限定されるものではない。以下の説明において、上記の説明における構成と同様の構成については、同一の符号を付して説明を省略する。
【００５２】
（第２実施例）
次に、洗濯機１０で実行される第３表示処理について説明する。図１１は、第３表示処理のフローチャートである。第３表示処理は、例えば、洗濯機１０の電源がオンになると開始される。図１１に示すように、第３表示処理のＳ１０及びＳ１１の処理は、上記の第１表示処理のＳ１０及びＳ１１の処理と同様である（図５参照）。第３表示処理では、Ｓ１１でＹＥＳの後にＳ３２の処理が実行される。
【００５３】
第３表示処理のＳ３２で、制御部４１が、取り出し方法情報、注入方法情報、洗浄方法情報、種類情報、投入量情報、残量情報、及び、メンテナンス時期情報を表示部４４の領域Ｐ１−Ｐ７に表示する（図１２参照）。上記の第１表示処理では、Ｓ１１でＹＥＳの後のＳ１２で、制御部４１が、複数の情報キーＫ１−Ｋ７を表示部４４に表示していた（図５、６参照）。これに対して、第３表示処理では、複数の情報キーＫ１−Ｋ７が表示されない。
【００５４】
続くＳ３３では、制御部４１が、上記のＳ３２で複数の情報を表示してから所定時間が経過したか否かを判断する。所定時間は、例えば３０秒間である。所定時間が経過した場合は、Ｓ３３で制御部４１がＹＥＳと判断してＳ３４に進む。そうでない場合は、制御部４１がＮＯと判断して待機する。
【００５５】
続くＳ３４では、制御部４１が、表示部４４に初期画面を表示する。初期画面は、例えば、スタートボタンＢ２及び閉じるボタンＢ３のみが表示部４４に表示され、他の情報（上記のＳ３２で表示部４４に表示された複数の情報）が表示部４４に表示さない画面である。その後、制御部４１が第３表示処理を終了する。
【００５６】
次に、洗濯機１０で実行される第４表示処理について説明する。図１３は、第４表示処理のフローチャートである。第４表示処理は、例えば、洗濯機１０の電源がオンになると開始される。図１３に示すように、第４表示処理のＳ２０及びＳ２１の処理は、上記の第２表示処理のＳ２０及びＳ２１の処理と同様である（図８参照）。第４表示処理では、Ｓ２１でＹＥＳの後にＳ４２の処理が実行される。
【００５７】
第４表示処理のＳ４２では、制御部４１が、収容方法情報を表示部４４の領域Ｑ１に表示する（図１０参照）。上記の第２表示処理では、Ｓ２１でＹＥＳの後のＳ２２で、制御部４１が、収容方法情報キーＪ１を表示部４４に表示していた（図８、９参照）。これに対して、第４表示処理では、収容方法情報キーＪ１が表示されない。
【００５８】
続くＳ４３では、制御部４１が、上記のＳ４２で収容方法情報を表示してから所定時間が経過したか否かを判断する。所定時間は、例えば３０秒間である。所定時間が経過した場合は、Ｓ４３で制御部４１がＹＥＳと判断してＳ４４に進む。そうでない場合は、制御部４１がＮＯと判断して待機する。
【００５９】
続くＳ４４では、制御部４１が、表示部４４に初期画面を表示する。初期画面は、例えば、スタートボタンＢ２及び閉じるボタンＢ３のみが表示部４４に表示され、他の情報（上記のＳ４２で表示部４４に表示された収容方法情報）が表示部４４に表示さない画面である。その後、制御部４１が第４表示処理を終了する。
【００６０】
以上、第２実施例について説明した。上記の説明から明らかなように、第２実施例では、制御部４１が、自動投入装置２０の着脱容器２１に洗剤タンク３０が収容されている状態で、着脱容器２１を開閉する蓋２８が開かれたことが開閉検出部２９によって検出された場合は、洗剤タンク３０を着脱容器２１から取り出す方法を示す取り出し方法情報と、洗剤タンク３０に洗剤を注入する方法を示す注入方法情報と、洗剤タンク３０を洗浄する方法を示す洗浄方法情報とを表示部４４に表示する（Ｓ１０でＹＥＳ、Ｓ１１でＹＥＳ、Ｓ３２）。この構成によれば、自動投入装置２０の蓋２８が開かれたタイミングで洗剤の自動投入に関連する情報を提示することができるので、洗濯機１０のユーザにとって有用な情報を適切なタイミングで提示することができる。
【００６１】
また、上記の構成では、自動投入装置２０の蓋２８が開かれたタイミングで投入量情報と残量情報を提示することができるので、洗濯機１０のユーザにとって有用な情報を適切なタイミングで提示することができる。ユーザにとっての利便性を向上させることができる。
【００６２】
（変形例）
（１）上記の第１表示処理のＳ１５（図５参照）で取り出し方法情報が表示部４４に表示された後に、自動投入装置２０の着脱容器２１から洗剤タンク３０が取り出されたことがタンク検出部４３によって検出された場合は、タンク検出部４３の検出結果がタンク検出部４３から制御部４１に送信されてもよい。制御部４１は、受信したタンク検出部４３の検出結果に基づいて、着脱容器２１から洗剤タンク３０が取り出されたことを示す情報を表示部４４に表示してもよい。
【００６３】
（２）上記の第２表示処理のＳ２５（図８参照）で収容方法情報が表示部４４に表示された後に、自動投入装置２０の着脱容器２１に洗剤タンク３０が収容されたことがタンク検出部４３によって検出された場合は、タンク検出部４３の検出結果がタンク検出部４３から制御部４１に送信されてもよい。制御部４１は、受信したタンク検出部４３の検出結果に基づいて、着脱容器２１に洗剤タンク３０が収容されたことを示す情報を表示部４４に表示してもよい。
【００６４】
（３）上記の第１表示処理のＳ１２（図５参照）では、制御部４１が、複数の情報キーＫ１−Ｋ７を表示部４４に表示していた（図６参照）。他の実施例では、制御部４１が、複数の情報キーＫ１−Ｋ７の全てを表示部４４に表示しなくてもよく、複数の情報キーＫ１−Ｋ７のうち少なくとも１つの情報キーを表示部４４に表示する構成であってもよい。例えば、制御部４１が、取り出し方法情報キーＫ１と注入方法情報キーＫ２のみを表示部４４に表示する構成であってもよい。
【００６５】
（４）上記の第３表示処理のＳ３２（図１１参照）では、制御部４１が、複数の情報を表示部４４の領域Ｐ１−Ｐ７に表示していた（図１２参照）。他の実施例では、制御部４１が、複数の情報の全てを表示部４４に表示しなくてもよく、複数の情報のうち少なくとも１つの情報を表示部４４に表示する構成であってもよい。例えば、制御部４１が、取り出し情報（Ｐ１）と注入方法情報（Ｐ２）のみを表示部４４に表示する構成であってもよい。
【００６６】
（５）上記の実施例では、制御部４１が、所定時間が経過した場合に表示部４４に初期画面を表示していた（Ｓ１７、Ｓ２７、Ｓ３４、Ｓ４４）。他の実施例では、スタートボタンＢ２又は閉じるボタンＢ３が押された場合に、制御部４１が表示部４４に初期画面を表示してもよい。また、更に他の実施例では、自動投入装置２０の蓋２８が閉じられたことが開閉検出部２９によって検出された場合に、制御部４１が表示部４４に初期画面を表示してもよい。
【００６７】
（６）上記の実施例では、洗剤タンク３０に関する構成について説明したが、洗剤タンク３０と同様の構成が柔軟剤タンク５０に適用されてもよい。
【００６８】
（７）上記の実施例は、ドラム式の洗濯機１０であったが、他の実施例では縦型の洗濯機１０であってもよい。
【００６９】
（８）他の実施例では、制御部４１が、洗剤タンク３０に収容されている洗剤の残量に基づいて洗濯機１０の運転可能回数を表示部４４に表示してもよい。
【００７０】
（対応関係）
上記の実施例に記載の構成と特許請求の範囲に記載の構成との対応関係を以下に示す。上記の開閉検出部２９は、第１検出部の一例である。タンク検出部４３は、第２検出部の一例である。着脱容器２１は、収容部の一例である。蓋２８は、蓋部の一例である。取り出し方法情報キーＫ１は、第１受付部の一例である。注入方法情報キーＫ２は、第２受付部の一例である。洗浄方法情報キーＫ３は、第３受付部の一例である。種類情報キーＫ４は、第４受付部の一例である。投入量情報キーＫ５は、第５受付部の一例である。残量情報キーＫ６は、第６受付部の一例である。収容方法情報キーＪ１は、第７受付部の一例である。
【００７１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７２】
１０：洗濯機、１１：本体、１２：蓋、１３：洗濯槽、１４：ドラム、１５：モータ、１６：給水路、１７：排水路、１８：給水弁、１９：排水弁、２０：自動投入装置、２１：着脱容器、２２：第１洗剤供給路、２３：ピストンポンプ、２４：第２洗剤供給路、２５：第１逆止弁、２６：第２逆止弁、２８：蓋、２９：開閉検出部、３０：洗剤タンク、３１：注入口、３２：排出口、４１：制御部、４２：記憶部、４３：タンク検出部、４４：表示部、４５：操作部、５０：柔軟剤タンク、１１１：開口部、２１１：開口部
【図１】
2020074869.tif 000003
【図２】
2020074869.tif 000004
【図３】
2020074869.tif 000005
【図４】
2020074869.tif 000006
【図５】
2020074869.tif 000007
【図６】
2020074869.tif 000008
【図７】
2020074869.tif 000009
【図８】
2020074869.tif 000010
【図９】
2020074869.tif 000011
【図１０】
2020074869.tif 000012
【図１１】
2020074869.tif 000013
【図１２】
2020074869.tif 000014
【図１３】
2020074869.tif 000015